(57)【要約】トッピング装置の各部の移動の軌跡が、横編機本体の設置空間内に収まり、しかもトッピング針が自由な軌跡を描くことができるトッピング装置を提供する。複数の編針が列設される針床５を備える横編機１で編成された編地を、編針に係止される編目の並列状態を維持したまま編針から外して移送するためのトッピング装置２である。このトッピング装置２は、横編機１の針床５の上方で針床５に平行に配置される第一軸部２１と、第一軸部２１の両端部から伸びる第一アーム対２０１と、第一アーム対２０１の先端部で第一軸部２１に平行に架設される第二軸部２２と、第二軸部２２の両端部から伸びる第二アーム対２０２と、第二アーム対２０２の先端部で第一軸部２１に平行に架設される第三軸部２３と、第三軸部２３に列設されるトッピング針２５とを備える。
2009084157.tif 000002
【特許請求の範囲】
【請求項１】
複数の編針が列設される針床を備える横編機で編成された編地を、編針に係止される編目の並列状態を維持したまま編針から外して移送するためのトッピング装置であって、
横編機の針床の上方で、針床に平行に配置される第一軸部と、
第一軸部の両端部から第一軸部の軸方向に直交する方向に伸び、第一軸部の軸心を中心に回転する第一アーム対と、
第一アーム対の先端部を繋ぐように第一軸部に平行に架設される第二軸部と、
第二軸部の両端部から第二軸部の軸方向に直交する方向に伸び、第二軸部の軸心を中心に回転する第二アーム対と、
第二アーム対の先端部を繋ぐように第一軸部に平行に架設される第三軸部と、
第三軸部に列設されるトッピング針とを備えることを特徴とするトッピング装置。
【請求項２】
さらに、第三軸部が、第二アーム対に対して回転自在に支持されていることを特徴とする請求の範囲第1項に記載のトッピング装置。
【請求項３】
前記横編機は、横編機の両端部に立設される支持部材と、両支持部材間を繋ぐように架設され、編針に編糸を給糸する給糸部材をスライド自在に支持する糸道レールとを備え、
前記第一軸部は、前記支持部材間を繋ぐように架設されていることを特徴とする請求の範囲第１項または第２項に記載のトッピング装置。
【請求項４】
前記第二アーム対は、第二軸部における第一アーム対が接続されている箇所よりも内側に設けられており、
前記第二アーム対の長さが、第一アーム対の長さよりも短く形成されていることを特徴とする請求の範囲第１項〜第３項のいずれか一項に記載のトッピング装置。
【発明の詳細な説明】
【技術分野】
【０００１】
本発明は、編地を針床の編針から外し、マガジン針が列設されたマガジンに預けおくトッピング装置に関する。
【背景技術】
【０００２】
横編機では、歯口部を挟んで対向する針床から編針を歯口に進出させ、歯口の上方から給糸した編糸を編針のフックに引っ掛けて針床に引き込むことで編地の編成が行われている。歯口への編糸の給糸は、歯口の上方で針床の長手方向に往復運動する給糸部材の給糸口から行う。このような横編機を使用することで、例えばセーターやカーディガンなどを無縫製で編成することができる。【０００３】
一方で、デザイン上の都合などにより、複数の編地をリンキング処理して衣類を完成させたいというニーズもある。例えば、セーターなどで身頃と衿とを別々に編成し、後工程においてリンキングすることが行われている。この場合、身頃と衿との接合位置における編目同士を対応させた状態でリンキングすると、仕上がりが美しく、着心地の良いセーターとすることができる。しかし、リンキングの際に、出来上がった身頃と衿の編目をいちいち合わせることは煩雑で時間もかかるので、生産効率が悪い。【０００４】
上記のような問題点を解決するために、例えば、特許文献１や２に記載のトッピング装置が提案されている。トッピング装置とは、針床の編針と一対一対応したトッピング針を列設した軸部と、軸部を支えて移動させるアームとを備え、自動で編地を針床の編針から外し、トッピング針と一対一対応したマガジン針が列設されるマガジンに預けおく装置である。【０００５】
【特許文献１】米国特許第３４４６０４２号明細書
【特許文献２】独国特許発明第２００５４３９号明細書
【発明の開示】
【発明が解決しようとする課題】
【０００６】
しかし、上記特許文献のトッピング装置を備える横編機では、横編機本体の外側から針床に向かって伸びるアームにより、トッピング針を編地にアプローチさせる構成であり、トッピング装置の分だけ設置面積を多くとられるという問題があった。また、トッピング装置のアームの軌跡が横編機本体の外側に大きくはみ出しているため、このアームの軌跡の分だけ余裕を持った設置空間も要求される。さらに、これらの文献の装置では、アームとアームを支える軸部の構造上、編地を移送するアームとトッピング針の軌跡が一通りの軌跡しか描くことができないため、前後一方の針床からしか編地を取り外すことができず、編地を預けおくマガジンの位置も制限を受けるという問題もある。【０００７】
そこで、本発明の目的の一つは、トッピング装置の各部の軌跡が、横編機本体の設置空間内に収まり、しかもトッピング針が自由な軌跡を描くことができるトッピング装置を提供することにある。
【課題を解決するための手段】
【０００８】
本発明は、複数の編針が列設される針床を備える横編機で編成された編地を、編針に係止される編目の並列状態を維持したまま編針から外して移送するためのトッピング装置に係る。本発明のトッピング装置は、横編機の針床の上方で、針床に平行に配置される第一軸部と、第一軸部の両端部から第一軸部の軸方向に直交する方向に伸び、第一軸部の軸心を中心に回転する第一アーム対と、第一アーム対の先端部を繋ぐように第一軸部に平行に架設される第二軸部と、第二軸部の両端部から第二軸部の軸方向に直交する方向に伸び、第二軸部の軸心を中心に回転する第二アーム対と、第二アーム対の先端部を繋ぐように第一軸部に平行に架設される第三軸部と、第三軸部に列設されるトッピング針とを備えることを特徴とする。【０００９】
上記のアーム対が軸心に対して回転する構成の代表例としては、後述する実施例に示すように、アーム対を軸部に固定し、この軸部を回転させることでアーム対を軸心に対して回転させる構成が挙げられる。その他、軸部を固定して、軸部に対して各アーム対を回転自在に構成しても良い。【００１０】
本発明の一形態として、第三軸部が、第二アーム対に対して回転自在に構成されていることが好ましい。【００１１】
本発明の一形態として、トッピング装置が設けられる横編機が、横編機の両端部に立設される支持部材と、両支持部材間を繋ぐように架設され、編針に編糸を給糸する給糸部材をスライド自在に支持する糸道レールとを備える横編機であれば、トッピング装置の前記第一軸部は、前記支持部材間を繋ぐように架設されていることが好ましい。【００１２】
本発明の一形態として、前記第二アーム対を、第二軸部における第一アーム対が接続されている箇所よりも内側に設けると共に、前記第二アーム対の長さを、第一アーム対の長さよりも短く形成することが好ましい。
【発明の効果】
【００１３】
本発明のトッピング装置によれば、３つの軸部と２組のアーム対から構成されるため、装置の各構成の可動範囲を高い自由度で設定することができる。さらに、装置の起点となる第一軸部が、針床の上方に設定されているため、横編機本体の設置空間に納まるように装置各部の軌跡を設定することができる。従って、本発明のトッピング装置は、以下に列挙するような効果を奏する。
［１］  このトッピング装置を横編機に適用した場合に、横編機本体の設置空間を超えるようなトッピング装置のための設置空間を必要としない。
［２］  複数の針床を有する横編機に適用した場合、いずれの針床からも編地を取り外すことができる。
［３］  移送する編地の受け取り手であるマガジンの配置位置を高い自由度で設定でき、しかも、マガジンを複数配置することもできる。【００１４】
本発明のトッピング装置における第三軸部が、第二アーム対に対して回転自在に構成されていると、第三軸部に列設されるトッピング針の角度を自由に設定することができるので、針床から編地を取り外し易くすることができる。また、トッピング針の角度を変えることで、取り外した編地がトッピング針から外れ難くすることができるし、トッピング針からマガジンのマガジン針に編地を移し易くすることもできる。【００１５】
本発明のトッピング装置における第一軸部が、横編機の糸道レールが支持される支持部材に架設される構成とすれば、第一軸部がほぼ歯口の上方に配置されるので、装置の各構成の軌跡を小さくすることができる。【００１６】
本発明のトッピング装置における第二アーム対の長さを第一アーム対の長さよりも短く形成すると共に、第二アーム対を第一アーム対よりも内側に設けることにより、第二アーム対を第二軸部に対して360°回転させても、第二アーム対の先端が第一軸部に接触すること回避できる。そのため、装置の各構成の軌跡を小さくすることができる。
【図面の簡単な説明】
【００１７】
【図１】実施形態に示す横編機の概略正面図である。
【図２】実施形態に示す横編機の概略側面図である。
【図３】実施形態に示すトッピング装置で編地を移送する過程を示す第一説明図であって、第三軸部がＳからＢに移動する様子を示す。
【図４】図３における歯口近傍の拡大図である。
【図５】実施形態に示すトッピング装置で編地を移送する過程を示す第二説明図であって、第三軸部がＢからＤに移動する様子を示す。
【図６】実施形態に示すトッピング装置で編地を移送する過程を示す第三説明図であって、第三軸部がＤからＥに移動する様子を示す。
【図７】実施形態に示すトッピング装置で編地を移送する過程を示す第四説明図であって、第三軸部がＥからＨに移動する様子を示す。
【図８】実施形態に示すトッピング装置で編地を移送する過程を示す第五説明図であって、（ａ）は図７の状態から編地移送装置を作動させたときのトッピング針とマガジン針と編地移送装置の位置関係を、（ｂ）は（ａ）の状態からマガジン針の根元側に編地を押し込む際に第三軸部がＨからＪに移動したときの軌跡を、（ｃ）は第三軸部がＪにあるときのトッピング針とマガジン針と編地移送装置の位置関係を示す。
【符号の説明】
【００１８】
１  横編機
２  トッピング装置
２１  第一軸部  ２２  第二軸部  ２３  第三軸部
２０１  第一アーム対  ２０２  第二アーム対
ｍ１〜ｍ４  モーター  ｃ２〜ｃ４  動力伝達部材
２５  トッピング針
３  マガジン
３１  マガジン針  ３２  マガジンバー
４  編地移送装置
４１  編地移送プレート  ４１０  基部  ４１５  突出部  ４４  第四軸部
５  針床    ５１  前針床  ５２  後針床    ５０  キャリッジ
５０１  針本体  ５０２  スライダ
６  給糸部材    ６１  糸道レール
７  支持部材    ７１  支持腕部  ７２  支持柱部
８  編糸    ８０  編地
８ｃ  コーン  ８ｔ  天バネ装置
【発明を実施するための最良の形態】
【００１９】
以下、本発明の実施形態を図に基づいて説明する。【００２０】
図１は、本発明のトッピング装置を備える横編機の正面図を示す。また、図２は、本発明のトッピング装置を備える横編機の左側面図を示す。【００２１】
横編機１は、対向して配置される前後一対の針床５（前針床５１、後針床５２）の間の歯口に給糸部材６から編糸８を給糸して、針床５に列設される編針により編地を編成する機械である。編針は、針床５上を往復するキャリッジ５０に搭載されるカムシステム（図示せず）の作用により歯口に対して進退することで、ニット、タック、ミスの３つの編成動作と前後の針床の間で編目の受け渡しを行う。【００２２】
給糸部材６は、コーンスタンドに設置されたコーン８ｃから、天バネ装置８ｔ、横編機の側方のサイドテンション装置（図示せず）を介して繰り出された編糸８の供給を受ける。この給糸部材６は、横編機１の両端に立設される支持部材７間に架設され、前針床５１の上方で針床５の長手方向に沿って伸びる複数の糸道レール６１にスライド自在に取り付けられている。【００２３】
このような横編機１を使用して編地８０を編成した場合、通常、編み上がった編地８０は、歯口の下方に送り出されて、横編機１下方の取り出し口から回収される。しかし、この横編機１で、例えば、衿だけを連続的に編成し、後工程において編み上がった衿を衿とは別に編成した身頃にリンキングする場合、衿の最終コースの編目を、編針に係止されていたときの並列状態を維持したまま置いておくとリンキングする際に便利である。そこで、図１、２に例示する横編機１は、針床５の編針に係止される編地８０を、最終コースの編目の並列状態を維持したまま編針から外すトッピング装置２と、トッピング装置２から編地８０を受け取って編地８０を一時的に置いておくマガジン３（図１では省略）とを備える。【００２４】
上記トッピング装置２は、図２に示すように、針床５の編針に係止される編地８０を取りにいき、編地８０を針床５の上方に取り出して、給糸部材６の上方に設置されるマガジン３に移送する装置である。このトッピング装置２からマガジン３への編地８０の受け渡しは、トッピング装置２の先端（後述する第三軸部２３）に設けた編地移送装置４により行う。以下、トッピング装置２、マガジン３、編地移送装置４について詳細に説明すると共に、編地の移動の様子を説明する。【００２５】
＜トッピング装置＞
トッピング装置２は、互いに平行な第一軸部２１、第二軸部２２、第三軸部２３および第一軸部２１と第二軸部２２とを繋ぐ第一アーム対２０１、第二軸部２２と第三軸部２３とを繋ぐ第二アーム対２０２、並びに、第三軸部２３に列設されるトッピング針２５とを備える。【００２６】
第一軸部２１は、糸道レール６１の上方で針床５に平行に伸びるように架設されている。より具体的には、第一軸部２１は、支持部材７の一部であって、糸道レール６１よりもさらに上方に伸び、且つ、給糸部材６が並ぶ編機手前側とは反対の編機奥側に湾曲する支持腕部７１に回転自在に支持されている。つまり、第一軸部２１は、後針床５２の歯口側上方に配置され、給糸部材６やキャリッジ５０のスライドの邪魔にならないようになっている。この第一軸部２１は、モーターｍ１により、支持腕部７１に対して回転する。さらに、第一軸部２１の内部には後述する第二軸部２２を回転させるためのモーターｍ２が配置されている。【００２７】
第一軸部２１と第二軸部２２とを繋ぐ第一アーム対２０１は、第一軸部２１の両端部から第一軸部２１の軸方向と直交する方向に伸びる一対のＩ型片である。各Ｉ型片の一端側は、第一軸部２１に固定されており、第一軸部２１を回転させることで第一軸部２１の軸心を中心に回転する。また、Ｉ型片の長さは、Ｉ型片（第一アーム対２０１）を回転させたときに横編機本体からはみ出ない長さである。さらに、一方のＩ型片の内部には、第一軸部２１の内部に配置されるモーターｍ２の動力を伝達する動力伝達部材（例えば、チェーンやタイミングベルトなど）ｃ２が配置されている。【００２８】
第一軸部２１と反対側の第一アーム対２０１の端部には、各アームの端部を繋ぐように第二軸部２２が回転自在に支持されており、動力伝達部材ｃ２を介して伝達されたモーターｍ２の駆動力により回転する。第二軸部２２の一方の端部（図１の紙面右側）には、後述する第三軸部２３を回転させるためのモーターｍ３が内蔵されている。また、第二軸部２２の他方の端部（図１の紙面左側）には、後述する編地移送装置４（図２を参照）の第四軸部４４（図４を参照）を回転させるためのモーターｍ４が内蔵されている。【００２９】
第二軸部２２と第三軸部２３とを繋ぐ第二アーム対２０２は、第二軸部２２の両端部における第一アーム対２０１よりも内側の位置から第二軸部２２の軸方向と直交する方向に伸びる一対のＬ型片である。各Ｌ型片の一辺は、第二軸部２２に固定され、Ｌ型片の他辺が第二軸部２２の軸方向に対して直交する方向に伸びるように配されている。また、Ｌ型片の他辺の長さは、第一アーム対２０１の長さよりも短く形成されており、第二アーム対２０２を回転させたときに、第二アーム対２０２の先端部や、第二アーム対２０２に取り付けられる第三軸部２３および編地移送装置４が、第一アーム対２０１を支持する第一軸部２１に接触しないようになっている。【００３０】
第二軸部２２と反対側の第二アーム対２０２の端部（Ｌ型片の他辺端部）には、第二アーム対２０２を繋ぐように第三軸部２３が第二軸部２２に平行に架設されている。第三軸部２３は、第三軸部２３の軸心を中心に回転自在に支持されており、動力伝達部材ｃ３を介して伝達されるモーターｍ３の駆動力より回転するように構成されている。また、この第三軸部２３には、針床５に係止される編地８０をすくい取るトッピング針２５が固定されている。トッピング針２５は、Ｌ字型の針であり、針床５に列設される編針と同じ数だけ第三軸部２３の軸方向に列設されている。このトッピング針２５は、その先端側の所定領域が断面Ｖ字状に形成されている。【００３１】
なお、トッピング装置の各部は、図３の二点鎖線で示す待機位置から、予め決められた回転角度、回転速度で動作するようにコンピュータにより制御されている。【００３２】
＜編地移送装置＞
さらに、第三軸部２３には、トッピング針２５に係止された編地８０の編目を、トッピング針２５から外す方向に送り出す編地移送装置４が設けられている。編地移送装置４は、図４、８に示すように、第三軸部２３に沿うように第二アーム対２０２に回転自在に支持される第四軸部４４と、第四軸部４４の軸方向に列設される複数の編地移送プレート４１と、第四軸部４４を回転させるモーターｍ４とを備える。編地移送プレート４１は、第四軸部４４を貫通する貫通孔を有する環状の基部４１０と、基部４１０から径方向外方に突出する突出部４１５とを備える。各編地移送プレート４１は、隣接するトッピング針２５の間に配置されるように第四軸部４４に列設されており、第四軸部４４を回転させたときに、突出部４１５の縁部で編地８０をトッピング針２５から押し出すことができる。なお、モーターｍ４は、既に述べたように第二軸部２２に内蔵され、動力伝達部材ｃ４を介して第四軸部４４を回転させる。【００３３】
＜マガジン＞
トッピング装置２で針床５から外した編地８０は、マガジン３に取りおかれる。本実施形態では、３つのマガジン３が、支持部材７の一部であって、支持腕部７１からさらに上方に伸びる支持柱部７２に着脱自在に取り付けられている。各マガジン３は、図６〜８に示すように、各軸部２１〜２３に平行に伸びるマガジンバー３２と、マガジンバー３２に列設されるマガジン針３１とを備える。マガジン針３１は、トッピング針２５と同数配置されており、マガジンバー３２の長手方向における列設位置は、第四軸部４４の軸方向におけるトッピング針２５の列設位置と一対一で対応している。即ち、マガジンバー３２の長手方向におけるマガジン針３１の列設位置は、針床長手方向における編針の列設位置とも対応している。また、マガジン針３１は、その先端側の所定領域が、断面逆Ｖ字状に形成されており、この逆Ｖ字状の溝にトッピング針２５のＶ字状先端部を収納できるようになっている。なお、本実施形態のトッピング装置２は３つ軸部２１，２２，２３と２組のアーム対２０１，２０２を有する構成のため、編地の移送範囲が広く、マガジン３の配置位置をトッピング針２５の届く範囲で任意に選択することができる。【００３４】
＜トッピング装置を使用した編地の移送過程＞
以上の構成を備えるトッピング装置で編地を移送する過程を図３〜８に基づいて以下に説明する。図３，５〜８は、トッピング装置で編地を移送する過程を経時的に説明する説明図であり、図４は、図３における歯口近傍の拡大図である。これら図３，５〜８において、第二軸部２２の中心軸の軌跡と、第三軸部２３の中心軸の軌跡を図中に一点鎖線で示すと共に、第三軸部２３の軌跡における要となる位置にアルファベットを付している。また、図３〜８において、編地８０の移送に関係のない横編機の構成、例えば、給糸部材などは図示を省略する。【００３５】
本実施形態では、図３に示すように、後針床５２に係止された編地８０（例えば、衿など）を、待機位置（図中、二点鎖線で示す）にあるトッピング装置２で取りにいく例を説明する。【００３６】
まず、編地８０の編成が終了したら、図４に示すように、編針のスライダ５０２を歯口に進出させ、編地８０の編目を針本体５０１のフックから外してスライダ５０２に係止させておく。本実施形態における編針は、先端部にタングを有する２枚のブレードを含むスライダ５０２と、先端部にフックを有する針本体５０１とで構成される複合針（例えば、特許２９１７１４６号公報を参照）を使用しており、スライダ５０２に係止される編目は、２枚のスライダ５０２で広げられた状態になる。【００３７】
次に、図３の二点鎖線で示す待機位置にあるトッピング装置２を駆動して編地８０を取りにいく。具体的には、各アーム対２０１，２０２を回転させ、第三軸部２３をＳからＡに移動させることで、トッピング針２５のＬ字の先端が編目のほぼ真横に水平状態で配置される。そして、第三軸部２３をＡからＢに移動させることで、トッピング針２５の先端が水平移動して、二枚のスライダ５０２の間に差し込まれる（図４を合わせて参照）。【００３８】
次に、スライダ５０２を後針床５２に引き込んで、編針から編地８０を完全に外して、トッピング針２５に編地８０の編目が係止された状態にすると共に、編地８０を後述するマガジンに移送する際に、トッピング針２５に受け渡された編地８０が編針に引っ掛からないようにする。次いで、図５に示すように、第三軸部２３を反時計回りに回転させて、編地８０の編目がトッピング針２５の屈曲位置にくるようにして、編地８０の移送時に編地８０がトッピング針２５から外れないようにする。そして、第三軸部２３をほぼ垂直に引き上げた（ＢからＣに移動させた）後、Ｄに移動させ、トッピング装置２をほぼ待機位置の状態に戻す。なお、第三軸部２３を一旦垂直に引き上げることで、第三軸部２３がＤに移動する過程で編地８０が編針に引っ掛かり難くなる。また、後述する編地８０の移送中にも、編地８０の編目が常にトッピング針２５の屈曲位置にあるように、トッピング針２５の姿勢を保ち、編地８０がトッピング針２５から外れないように、トッピング装置２の各構成を制御する。【００３９】
さらに、図６に示すように、アーム対２０１，２０２を回転させて、編地８０が３段のマガジン３の近傍に来るように、第三軸部２３をＤからＥに移動させる。なお、本実施形態では次述のように、中段に位置するマガジンン３に編地８０を預ける操作を説明するが、上段と下段に編地８０を預けるときにも、トッピング装置２は、一旦、第三軸部２３がＥの位置となる図６の実線の配置をとる。【００４０】
最後に、図７，８に示すように、トッピング針２５からマガジン３のマガジン針３１に編地８０を受け渡す。より具体的には、第三軸部２３をＥからＦに移動させると共に第三軸部２３を回転させ、トッピング針２５の先端部分をマガジン針３１と平行で、且つ、マガジン針３１よりも低い位置に配置する。次いで、第三軸部２３をＦからＧに移動させ、上面視したときにトッピング針２５とマガジン針３１とが重なるようにする。このとき、トッピング針２５は、マガジン針３１よりも低い位置にあるため両者が接触して損傷することがない。そして、第三軸部２３をＧからＨに移動させ、マガジン針３１の逆Ｖ字溝にトッピング針２５のＶ字状先端が嵌め込まれるようにする。この嵌め込みにより、両針２５，３１がほぼ段差なく連結されるので、トッピング針２５からマガジン針３１に編目を円滑に案内することができる。【００４１】
次に、図８（ａ）に示すように、編地移送装置４の編地移送プレート４１を反時計回りに回転させて、突起部４１５の側縁で編地８０をマガジン針３１側に押し込み、トッピング針２５に係止されていた編地８０の編目をマガジン針３１に受け渡す。【００４２】
さらに、図８（ｂ），（ｃ）に示すように、第三軸部２３をＨ→Ｇ→Ｆ→Ｉ→Ｊの順に移動させることで、突起部４１５の側縁で編地８０の編目をマガジン針３１の根元側にさらに押し込む。ここで、編地８０の押し込み量は、トッピング装置２の各構成の駆動量を調節することで、制御可能である。編地８０の押し込み量を変化させる構成とすることで、一つのマガジン３に複数の編地８０を預けおくときに、各編地８０をマガジン針３１の奥側（根元側）から手前側（先端側）にかけてマガジン針３１の針長を有効に利用しつつ、移送順に従って係止させることができる。なお、第三軸部２３がＩ，Ｊの位置にあるときには、トッピング針２５はマガジン針３１の上にあり、両針２５，３１が接触・損傷することはない。【００４３】
編地８０の押し込みが終了したら、図８（ｂ）に示すように、第三軸部２３の位置をＥに戻し、さらにトッピング装置全体を待機位置（図３の二点鎖線で示す配置）に戻し、編地８０の移送を完了する。そして、針床５での編地８０の編成と、編地８０のマガジン３への移送をくり返し、所定数の編地８０がマガジン３に係止されれば、マガジン３を横編機１から取り外して、リンキング工程に回す。【００４４】
以上説明した横編機に備わるトッピング装置は、各部の軌跡が横編機本体の外形を超えないので、トッピング装置を設けない横編機の設置空間を超える設置空間を必要としない。また、本実施形態では、後針床から編地を取り外す例を説明したが、本発明のトッピング装置は、装置各部の軌跡を自由に変えることができるので、前針床に係止された編地を取り外すこともできる。【００４５】
なお、本発明の実施形態は、上述した実施形態に限定されるものではなく、本発明の要旨を逸脱しない範囲において適宜変更可能である。例えば、図２を参照して説明すると、マガジン３の位置をコーン８ｃの側に配置しても良いし、第一軸部２１を図中の第二軸部２２の位置に配置しても良い。いずれの配置を選択しても、本発明のトッピング装置は、３つの軸部と２組のアーム対から構成されていることから、編地を係止するトッピング針の移動領域が非常に広いので、編地をマガジンに移送することができる。
【産業上の利用可能性】
【００４６】
本発明のトッピング装置は、後工程においてリンキングを行う編地を横編機で連続的に複数編成する際に、編地の最終コースの編目の並列状態を維持したままマガジンに取りおくことに好適に利用可能である。
【図１】
2009084157.tif 000003
【図２】
2009084157.tif 000004
【図３】
2009084157.tif 000005
【図４】
2009084157.tif 000006
【図５】
2009084157.tif 000007
【図６】
2009084157.tif 000008
【図７】
2009084157.tif 000009
【図８】
2009084157.tif 000010
【国際調査報告】
2009084157.tif 000011
2009084157.tif 000012
2009084157.tif 000013
2009084157.tif 000014